(57)【特許請求の範囲】
【請求項１】
口筒部と円形の胴部を備えたプラスチックボトルであって、
胴筒壁周面に、傾斜リブ部と縦リブ部が円弧部によって接続されて階段状に連続した多数の螺旋リブが上下に並列するよう形成されており、
相対する上下の傾斜リブと左右の縦リブによって吸収パネルが構成されていることを特徴とする円形のプラスチックボトル。
【請求項２】
螺旋リブが、胴筒壁周面に画かれた多条の螺旋曲線と、所定角度毎に縦方向に延びる直線の二つの線を仮想線として、その傾斜リブ部を螺旋曲線に、縦リブ部を直線に沿って配列するとともに、傾斜リブ部が縦リブ部を通って隣り合う上方の螺旋曲線に移行するように形成されていることを特徴とする請求項１記載の円形のプラスチックボトル。
【請求項３】
螺旋リブが谷線と谷線から立ち上がる傾斜面と稜線とを備え、一つの螺旋リブの稜線と隣り合う螺旋リブの谷線との間を曲面によって接続して、吸収パネルを形成したことを特徴とする請求項１記載の円形のプラスチックボトル。
【発明の詳細な説明】
【０００１】
【発明の属する技術分野】
本発明は、円形のプラスチックボトル、とくにボトル内部の減圧に対応してボトル容積を減容させるようにした円形プラスチックボトルに関する。
【０００２】
【従来の技術】
プラスチックボトルに内容物を加熱充填した後に、キャップを被嵌して冷却するようにすることが従来より実施されており、冷却時の減圧を吸収するようにしたプラスチックボトルも従来より周知である。
従来周知のボトルは、胴部を四辺形、または六辺形の角形とし、胴壁周面に横リブと縦リブを設け、リブによって囲まれた平坦な胴壁を、リブを軸として内方に変形させ、減圧を吸収するようにしている。
【０００３】
【発明が解決しようとする課題】
しかしながら、従来のボトルでは、縦リブが角形ボトルの各角部に配置され、平坦面が内方に変形することによって減圧を吸収するようにしているから、変形による凹みが目立ってボトルの外観を損なうという問題があった。
本発明は、上記の問題点を解決することを技術的課題として、ボトル内部の減圧による変形状態を目立たないようにした円形のプラスチックボトルを提供することを目的とする。
【０００４】
【課題を解決するための手段】
本発明は、上記の技術的課題を達成するため、円形のプラスチックボトルとして、口筒部と円形の胴部を備えたプラスチックボトルであって、胴筒壁周面に、傾斜リブ部と縦リブ部が円弧部によって接続されて階段状に連続した多数の螺旋リブが上下に並列するよう形成されており、相対する上下の傾斜リブと左右の縦リブによって吸収パネルが構成されていることを特徴とする構成を採用する。
【０００５】
螺旋リブの配設にあたっては、胴筒壁周面に画かれた多条の螺旋曲線と、所定角度毎に縦方向に延びる直線の二つの線を仮想線として、螺旋リブが、胴筒壁周面に画かれた多条の螺旋曲線と、所定角度毎に縦方向に延びる直線の二つの線を仮想線として、その傾斜リブ部を螺旋曲線に、縦リブ部を直線に沿って配列するとともに、傾斜リブ部が縦リブ部を通って隣り合う上方の螺旋曲線に移行するように形成されていることを特徴とする構成を採用する。
上記仮想直線は、小胴径の場合は円周を６分割した角度位置に、大胴径の場合は８分割以上に分割した角度位置に配置する。
【０００６】
また、ボトル内の減圧を吸収する胴筒壁の構成単位として、螺旋リブが谷線と谷線から立ち上がる傾斜面と稜線とを備え、一つの螺旋リブの稜線と隣り合う螺旋リブの谷線との間を曲面によって接続し、吸収パネルを形成したことを特徴とする構成を採用する。
【０００７】
【発明の実施の形態】
次に、本発明の第１実施形態について、図面を参照して説明する。
図１，２に示すように、本実施形態のボトルＡは、口筒部１と胴部２、底部３とからなり、ＰＥＴその他剛性を有する樹脂を素材樹脂とし二軸延伸ブロー成形によって成型されている。
前記口筒部１には、キャップを被嵌するためのネジ４と該ネジ４下端に形成された膨出突条５が設けられ、その下方には保持突条６が設けられている。
【０００８】
胴部２は、口筒部１に続く回転楕円面の肩周壁７と円筒形の胴筒壁８と底部周壁９とからなっており、底部３は、底部周壁９に続く底端１０と、多数の放射状リブを配設した底壁（図示しない）とからなっている。
【０００９】
前記胴筒壁８の周面には、傾斜リブ部１１と縦リブ部１２が交互に階段状に連続する多条の螺旋リブ１３がボトルの上下方向に並列して配設されている。
【００１０】
次に、図３〜６を参照して螺旋リブ１３の構成について説明する。
まず、始めに螺旋リブ１３を配設する配置線について説明すると、図３に示すように、胴筒壁８の円筒周面に、一定のピッチｐをもって画かれた多条の螺旋曲線ａ（1 ，・・・n ）と、円周を６０°毎に分割した点を縦方向に延びる直線ｂ（1 ，・・・6 ）の二つの仮想線を画くと、螺旋リブ１３の配置線は、二つの仮想線に沿って、まず螺旋曲線ａ1 から直線ｂ1 に移行し、次いで、隣り合う上方の螺旋曲線ａ2 に移行するというように階段状に延びている。
【００１１】
螺旋曲線ａ1 から直線ｂ1 、直線ｂ1 から螺旋曲線ａ2 への移行点では、弧状に移行するようにされ、螺旋リブ１３の配置線は、螺旋曲線ａと直線ｂと円弧ｃによって形成され、隣り合う螺旋リブ１３の配置線と分離される。
上記配置線に沿って後述する螺旋リブの谷線または稜線が配置され、かくして螺旋リブ１３は、傾斜リブ部１１と縦リブ部１２が円弧部１４によって接続された階段状の連続体として形成される。
【００１２】
傾斜リブ部１１は、山形に形成され、谷部と、谷部から立ち上がるリブ傾斜面１５と山頂とからなり、図４，５に示すように、稜線１１ａと谷線１１ｂとを有しており、隣接する螺旋リブ１３の稜線と谷線は、Ａ−Ａ断面において直線で結ばれている。
【００１３】
縦リブ部１２は、谷部と、谷部から急激に立ち上がるリブ傾斜面１６と山頂とからなり、図４，６に示すように、稜線１２ａと谷線１２ｂとを有しており、稜線１２ａから隣り合う傾斜リブ部１１の谷部に、谷線１２ｂからは反対側の隣り合う傾斜リブ部の山頂にＢ−Ｂ断面においてほぼ直線で結ばれている。
【００１４】
一つの螺旋リブ１３の稜線１１ａ，１２ａと隣り合う螺旋リブ１３の谷線１１ｂ，１２ｂとの間には、胴筒壁８周面に沿う一つの周面が形成され、胴筒壁８の構成単位となる吸収パネルＰが構成されている。
【００１５】
吸収パネルＰは、展開平面がほぼ平行四辺形の円筒面となっており、その周辺は、螺旋リブ１３の傾斜リブ部１１と縦リブ部１２によって囲まれているので、吸収パネルＰを四辺に固定した平行四辺形の円筒面とみなすことができる。
周面にボトル内方に向かう均等な荷重がかけられると、吸収パネルＰは、図４に示すそれぞれ対向する二辺の中心線Ｘ，Ｙの交点Ｚを最大変位点として撓むことになる。
【００１６】
その際、Ｙ軸上の撓みは、傾斜リブ部１１と吸収パネルＰ端縁との接続部におけるリブ傾斜面１５と吸収パネルＰとのなす角度が、その屈曲度を変えることにより変形が許容され、Ｘ線上での撓みは、隣り合う縦リブ部１２間の距離が長いことによって変形が許容される。
交点Ｚにおける撓み量は、荷重すなわちボトル内圧の低下量、胴筒壁８の肉厚、リブの高さ、傾斜面の傾斜角度などの螺旋リブ１３の形状によって決定されるが、図７に示すように、Ｘ線上で相対する縦リブ部間の円弧が直線になるまで変形を許容させることもできる。
【００１７】
上記実施例では、螺旋リブ１３の配置線について、直線ｂを円周を６分割した６０°毎に配列しているが、円周分割数はボトルの容量に応じて設定される。
すなわち、胴径が小さい場合には６分割が好ましいが、大胴径になると、８分割またはそれ以上に分割する必要がある。
その分割数は、吸収パネルＰの大きさ、形状、面積、胴壁の肉厚に応じて設定される。
また、螺旋曲線ａのピッチｐ、リード角等についても、必要とする吸収パネルに応じて適宜設定することができる。
【００１８】
次に、上記構成に基づくボトルの作用効果について説明する。
本発明のボトルは、加熱処理をした内容物を充填する場合に使用される。
内容物の加熱充填にあたって、内容物の充填後にキャップが被嵌され、冷却水で冷却されるが、冷却後にはボトル内が減圧状態となる。
ボトル内の減圧は、各吸収パネルＰによって吸収されるが、傾斜リブ部１１によって、軸方向とともに円周方向に補強されているので、ボトルの胴筒壁８は、円筒形に維持され、また、減圧による変形は、多数の吸収パネルＰに分散され、個々の吸収パネルＰの変形は目立たないので、減圧後もボトルの外形は実質的に変化しない。
【００１９】
次に、第２実施形態について、図８を参照して説明すると、本実施形態は、前実施形態の胴筒壁の中間部に円周リブを形成して、ボトル胴部を補強したものである。
図８に示すように、ボトルＡａは、前実施形態と同じく口部１ａと胴部２ａ、底部３ａとからなり、ＰＥＴその他剛性を有する樹脂を素材樹脂とし二軸延伸ブロー成形によって成型されている。
胴部２ａは、肩周壁７ａと胴筒壁８ａと底部周壁９ａとからなっており、胴筒壁８ａ周面の所定の位置に、円周リブ２０が配設されている。
【００２０】
円周リブ２０の断面は、一定巾を有する谷部２１と谷部２１の各端縁から傾斜して周面に接続する傾斜立ち上がり部２２とからなっている。
円周リブ２０の下方の胴筒壁８ａの周面には、多条の螺旋リブ２３が配設されており、円周リブ２０の上方の胴筒壁８ａと肩周壁７ａ下部の一部周面には、多条の螺旋リブ２４が配設されている。
【００２１】
各螺旋リブ２３，２４は、傾斜リブ部２５と縦リブ部２６とが円弧をもって接続され、交互に階段状に連続する連続体となっている。
螺旋リブ２３，２４の配設される螺旋曲線と直線は、円周リブ２０の部分で切断されているが、共通する一つの螺旋曲線と直線上に配置されている。
傾斜リブ部２５と縦リブ部２６の断面の形状、単位吸収パネルＰａの構成は、前実施形態のそれと同一であって、同一の作用効果をもたらすことになる。
【００２２】
前記各実施形態では、プラスチックボトルを二軸延伸ブロー成形により成型しているが、ブロー成形としてダイレクトブロー成形で成型されてもよく二軸延伸に限定されない。
【００２３】
【発明の効果】
本発明は、上記のように構成されているから、次の効果を奏する。
傾斜リブ部と縦リブ部との間に形成される吸収パネルによって、ボトル内の減圧を吸収するようにしたから、ボトルは実質的に円形を維持し、熱充填、冷却によるボトルの変形は目立たないので、ボトルの商品価値を高めることができる。
【図面の簡単な説明】
【図１】  本発明の第１実施形態のボトルの正面図である。
【図２】  ボトルの平面図である。
【図３】  図２のＡの方向から見たボトル胴壁の説明図である。
【図４】  吸収パネルの説明図である。
【図５】  図４のＡ−Ａ線における傾斜リブ部の断面図である。
【図６】  図４のＢ−Ｂ線における縦リブ部の断面図である。
【図７】  図４のＣ−Ｃ線における吸収パネルの変形説明図である。
【図８】  第２実施形態のボトルの正面図である。
【符号の説明】
Ａ，Ａａ        ボトル
Ｐ，Ｐａ        吸収パネル
１，１ａ        口筒部
２，２ａ        胴部
８，８ａ        胴筒壁
１１，２５        傾斜リブ部
１２，２６        縦リブ部
１３，２３，２４  螺旋リブ
１４              円弧部
１５，１６        リブ傾斜面
２０              円周リブ
２１              谷部
２２              傾斜立ち上がり部
【図１】
0003839139.tif 000002
【図２】
0003839139.tif 000003
【図３】
0003839139.tif 000004
【図４】
0003839139.tif 000005
【図５】
0003839139.tif 000006
【図６】
0003839139.tif 000007
【図７】
0003839139.tif 000008
【図８】
0003839139.tif 000009